(57)【特許請求の範囲】
【請求項１】
画像情報を担持した画像担体に対して、光学ヘッドを相対的に移動させることにより、画像読み取りのための走査を行う走査部であって、主走査方向において往路走査と復路走査を１ライン毎に交互に繰り返す往復走査を行って、主走査方向の一次元のライン画像を１ラインずつ読み取り、かつ、前記往復走査と並行して、前記主走査方向と直交する副走査方向に走査を行って二次元画像を読み取る走査部を用い、前記走査部から前記二次元画像を取得し、前記二次元画像に対して画像処理を行う画像処理装置において、
前記二次元画像内に存在する点状の異常画素について、前記異常画素を基準に数画素から数十画素の範囲内にある画素に基づいて前記異常画素を除去する異常画素除去部であって、異常画素を除去するための補正対象となる注目画素が存在するラインが、副走査方向において奇数番目に存在する奇数ラインである場合は、前記画素を、前記注目画素が存在する奇数ラインを含む少なくとも１つの奇数ラインのみから選択し、一方、前記注目画素が存在するラインが、副走査方向において偶数番目に存在する偶数ラインである場合は、前記画素を、前記注目画素が存在する偶数ラインを含む少なくとも１つの偶数ラインのみから選択し、選択した前記画素に基づいて、前記異常画素を除去する異常画素除去部と、
前記二次元画像において前記往復走査に起因して１ラインおきに発生する、前記主走査方向に延びるストライプ状の尾引きについて、前記二次元画像から除去する尾引き除去部と、
を備えている画像処理装置。
【請求項２】
前記異常画素を除去する異常画素除去処理を行った後に、前記尾引きを除去する尾引き除去処理を行う請求項１に記載の画像処理装置。
【請求項３】
前記異常画素を除去する異常画素除去処理において、前記画素を選択するラインは、複数ラインである請求項１または２に記載の画像処理装置。
【請求項４】
前記異常画素除去処理において、前記画素を選択するラインは、前記注目画素が存在するラインがｎライン目である場合に、ｎライン、ｎ−２ラインおよびｎ＋２ラインの３ラインを少なくとも含む請求項３に記載の画像処理装置。
ここで、ｎは１以上の整数である。
【請求項５】
前記異常画素除去処理において、前記注目画素が存在するラインが、前記二次元画像の前記副走査方向における上端部または下端部に位置する端部ラインである場合には、前記異常画素除去部は、前記二次元画像の上端または下端に仮想ラインを追加設定し、前記画素を選択するラインに前記仮想ラインを使用する端部処理を実行する請求項４に記載の画像処理装置。
【請求項６】
前記尾引き除去部は、前記注目画素の画素値と、前記副走査方向において前記注目画素と隣接する上下の画素の画素値とを比較して、前記注目画素の画素値が前記上下の画素の画素値よりも高く、前記注目画素の画素値と前記上下の画素の画素値の差または比が所定値以上の場合に、前記注目画素が前記尾引きを構成する尾引き画素であると判定する尾引き判定処理を実行する請求項１〜５のいずれか１項に記載の画像処理装置。
【請求項７】
前記尾引き除去部は、前記尾引き判定処理において、前記副走査方向に延び、前記注目画素が存在する列に加えて、前記主走査方向において前記注目画素と隣接する左右の列を含む複数列についても、前記副走査方向に隣接する画素間で画素値を比較して、比較結果を尾引き判定に利用する請求項６に記載の画像処理装置。
【請求項８】
前記画像担体は、蛍光を発するサンプルを含み、
前記走査部は、
前記画像担体に対して照射する励起光を発生する励起光源と、
前記励起光で励起された蛍光を、前記光学ヘッドが受光した光を光電変換する光学センサとを有している請求項１〜７のいずれか１項に記載の画像処理装置。
【請求項９】
画像情報を担持した画像担体に対して、光学ヘッドを相対的に移動させることにより、画像読み取りのための走査を行う走査部であって、主走査方向において往路走査と復路走査を１ライン毎に交互に繰り返す往復走査を行って、主走査方向の一次元のライン画像を１ラインずつ読み取り、かつ、前記往復走査と並行して、前記主走査方向と直交する副走査方向に走査を行って二次元画像を読み取る走査部を用い、前記走査部から前記二次元画像を取得し、前記二次元画像に対して画像処理を行う画像処理方法において、
前記二次元画像内に存在する点状の異常画素について、前記異常画素を基準に数画素から数十画素の範囲内にある画素に基づいて前記異常画素を除去する異常画素除去ステップであって、異常画素を除去するための補正対象となる注目画素が存在するラインが、副走査方向において奇数番目に存在する奇数ラインである場合は、前記画素を、前記注目画素が存在する奇数ラインを含む少なくとも１つの奇数ラインのみから選択し、一方、前記注目画素が存在するラインが、副走査方向において偶数番目に存在する偶数ラインである場合は、前記画素を、前記注目画素が存在する偶数ラインを含む少なくとも１つの偶数ラインのみから選択し、選択した前記画素に基づいて、前記異常画素を除去する異常画素除去ステップと、
前記二次元画像において前記往復走査に起因して１ラインおきに発生する、前記主走査方向に延びるストライプ状の尾引きについて、前記二次元画像から除去する尾引き除去ステップと、
を含む画像処理方法。
【請求項１０】
画像情報を担持した画像担体に対して、光学ヘッドを相対的に移動させることにより、画像読み取りのための走査を行う走査部であって、主走査方向において往路走査と復路走査を１ライン毎に交互に繰り返す往復走査を行って、主走査方向の一次元のライン画像を１ラインずつ読み取り、かつ、前記往復走査と並行して、前記主走査方向と直交する副走査方向に走査を行って二次元画像を読み取る走査部を用い、前記走査部から前記二次元画像を取得し、前記二次元画像に対して画像処理を行う画像処理装置の作動プログラムにおいて、
前記二次元画像内に存在する点状の異常画素について、前記異常画素を基準に数画素から数十画素の範囲内にある画素に基づいて前記異常画素を除去する異常画素除去ステップであって、異常画素を除去するための補正対象となる注目画素が存在するラインが、副走査方向において奇数番目に存在する奇数ラインである場合は、前記画素を、前記注目画素が存在する奇数ラインを含む少なくとも１つの奇数ラインのみから選択し、一方、前記注目画素が存在するラインが、副走査方向において偶数番目に存在する偶数ラインである場合は、前記画素を、前記注目画素が存在する偶数ラインを含む少なくとも１つの偶数ラインのみから選択し、選択した前記画素に基づいて、前記異常画素を除去する異常画素除去ステップと、
前記二次元画像において前記往復走査に起因して１ラインおきに発生する、前記主走査方向に延びるストライプ状の尾引きについて、前記二次元画像から除去する尾引き除去ステップと、
を含む画像処理装置の作動プログラム。
【発明の詳細な説明】
【技術分野】
【０００１】
本発明は、画像処理装置、方法および作動プログラムに関する。
【背景技術】
【０００２】
遺伝子などの生体由来物質を蛍光色素で標識した画像担体に励起光を照射することにより、蛍光色素が発する蛍光を受光して画像担体の蛍光画像を検出する蛍光画像検出（fluorescence）システムが知られている（特許文献１および２参照）。
【０００３】
蛍光画像検出システムでは、特許文献１に示すように、画像担体の画像の走査方式として、画像を読み取る光学ヘッドを主走査方向に往復移動する往復走査方式の画像読取装置を採用しているものがある。往復走査方式は、例えば、奇数ラインにおいては、光学ヘッドが右から左へ移動し、次の偶数ラインにおいては光学ヘッドが左から右へ移動するというように、１ライン毎に走査方向が逆向きになる。ここで、奇数ラインおよび偶数ラインは、主走査方向に延びるラインであり、主走査方向と直交する副走査方向におけるライン番号が奇数番目のラインを奇数ライン、偶数番目のラインを偶数ラインと呼ぶ。
【０００４】
ここでいう往復走査方式は、光学ヘッドの往路走査と復路走査のそれぞれで画像を読み取り、往路走査および復路走査で読み取られた画像をそれぞれ１ライン分の画像として扱う狭義の往復走査方式をいう。狭義の往復走査方式では、例えば、往路走査が奇数ラインの場合には、復路走査が偶数ラインとなり、１ライン毎に走査方向が逆向きになり、走査方向を交互に逆転させて読み取った画像が、それぞれ１ライン分の画像として取り扱われ、各ラインの画像を構成要素として１画面分の画像が生成される。
【０００５】
往復走査方式には、広義には、上記狭義の往復走査方式の他に、次の２方式が含まれる。１つは、光学ヘッドを往復移動させるが、画像の読み取りについては往路走査のみで行い、復路は光学ヘッドを主走査方向の初期位置に戻すのみで、画像の読み取りを行わない方式である。この方式は、１画面分の画像の構成要素となる各ラインの画像はすべて往路走査で読み取った画像となり、その結果、光学ヘッドの１往復で１ライン分の画像を読み取る方式といえる。
【０００６】
もう１つは、狭義の往復走査方式と同様に、往路走査および復路走査の両方で走査を行ってそれぞれの走査において１ライン分の画像を読み取るが、往路走査と復路走査で読み取った２ライン分の画像を加算して１ライン分の画像として扱う方式である。この方式は、往路走査と復路走査で画像を読み取るが、それらは加算されるため、結果としては、往路走査と復路走査の１往復で１ライン分の画像を読み取る方式といえる。ここでは、狭義の往復走査方式のみを対象とし、以下、狭義の往復走査方式を、単に往復走査方式と呼ぶ。
【０００７】
特許文献１に記載されているように、フォトマルチプライアなど、画像を光電的に読み取る光学ヘッドを用いる場合、撮像対象の画像担体に濃度差が大きな境界があると、読み取った画像内に尾引きが発生する場合がある。尾引きは、例えば濃度が高い高濃度領域から濃度が低い低濃度領域へ走査を行った場合に発生する。より具体的には、尾引きは、高濃度領域と低濃度領域の境界において、高濃度領域から低濃度領域に向かって主走査方向にストライプ状に延びる。尾引きは、往復走査方式では、１ラインおきに発生し、縞模様のようになる。
【０００８】
というのも、往復走査方式では、主走査方向における走査方向が１ライン毎に異なるため、例えば、光学ヘッドが、奇数ラインにおいて高濃度領域から低濃度領域へ境界を跨いで走査した場合に、尾引きが発生する。しかし、次の偶数ラインにおいては、光学ヘッドの走査方向が逆向きになり、同じ境界を低濃度領域から高濃度領域へ逆向きに走査することになるため、尾引きは発生しない。
【０００９】
特許文献１に記載の装置では、こうした主走査方向に延びるストライプ状の尾引きについて、主走査方向と直交する副走査方向で平滑化することにより、尾引きを目立たなくする補正を行っている。
【００１０】
また、特許文献２は、読み取り画像内に、濃度の高い特異点として発生する点状の異常画素が存在する場合に、異常画素の周囲の近傍画素の画素値に基づいて異常画素を除去する異常画素除去処理を開示している。近傍画素は、異常画素の周囲に隣接する画素が選択される。異常画素は特異点であるので、異常画素に隣接する周囲の近傍画素は濃度が低い。そのため、近傍画素の画素値に応じて異常画素の画素値を補正（濃度を下げる）することで、異常画素を除去することができる。
【先行技術文献】
【特許文献】
【００１１】
【特許文献１】特開２００３−３１９１４７号公報
【特許文献２】特開２００１−０６９３５３号公報
【発明の概要】
【発明が解決しようとする課題】
【００１２】
しかしながら、特許文献２に記載の異常画素が、特許文献１に記載の複数本の尾引きを含む尾引き領域内に存在する場合には、特許文献２に記載の方法では、異常画素が適正に除去できないという問題があった。
【００１３】
というのも、尾引き領域において異常画素が存在する場合、異常画素に隣接する周囲の近傍画素には、尾引きを構成する画素が含まれることになる。近傍画素が尾引きを構成する画素である場合、その濃度は高い。濃度が高い近傍画素で異常画素を補正しても、異常画素の濃度は高いままであるため、異常画素を適正に除去することができない。つまり、尾引き領域内に異常画素が存在する場合は、尾引きの影響を受けて異常画素が適正に除去できないという問題が生じていた。
【００１４】
本発明は、尾引き領域内に異常画素が存在する場合でも、異常画素を適正に除去することができる画像処理装置、方法および作動プログラムを提供することを目的とする。
【課題を解決するための手段】
【００１５】
上記課題を解決するために、本発明の画像処理装置は、画像情報を担持した画像担体に対して、光学ヘッドを相対的に移動させることにより、画像読み取りのための走査を行う走査部であって、主走査方向において往路走査と復路走査を１ライン毎に交互に繰り返す往復走査を行って、主走査方向の一次元のライン画像を１ラインずつ読み取り、かつ、往復走査と並行して、主走査方向と直交する副走査方向に走査を行って二次元画像を読み取る走査部を用い、走査部から二次元画像を取得し、二次元画像に対して画像処理を行う画像処理装置において、異常画素除去部と、尾引き除去部とを備えている。異常画素除去部は、二次元画像内に存在する点状の異常画素について、異常画素を基準に数画素から数十画素の範囲内にある画素に基づいて異常画素を除去する異常画素除去部であって、異常画素を除去するための補正対象となる注目画素が存在するラインが、副走査方向において奇数番目に存在する奇数ラインである場合は、画素を、注目画素が存在する奇数ラインを含む少なくとも１つの奇数ラインのみから選択し、一方、注目画素が存在するラインが、副走査方向において偶数番目に存在する偶数ラインである場合は、画素を、注目画素が存在する偶数ラインを含む少なくとも１つの偶数ラインのみから選択し、選択した画素に基づいて、異常画素を除去する。尾引き除去部は、二次元画像において往復走査に起因して１ラインおきに発生する、主走査方向に延びるストライプ状の尾引きについて、二次元画像から除去する。
【００１６】
異常画素を除去する異常画素除去処理を行った後に、尾引きを除去する尾引き除去処理を行うことが好ましい。
【００１７】
異常画素を除去する異常画素除去処理において、画素を選択するラインは、複数ラインであることが好ましい。
【００１８】
異常画素を除去する異常画素除去処理において、画素を選択するラインは、注目画素が存在するラインがｎライン目である場合に、ｎライン、ｎ−２ラインおよびｎ＋２ラインの３ラインを少なくとも含むことが好ましい。ここでｎは１以上の整数である。
【００１９】
異常画素除去処理において、注目画素が存在するラインが、二次元画像の副走査方向における上端部または下端部に位置する端部ラインである場合には、異常画素除去部は、二次元画像の上端または下端に仮想ラインを追加設定し、画素を選択するラインに仮想ラインを使用する端部処理を実行する。
【００２０】
尾引き除去部は、注目画素の画素値と、副走査方向において注目画素と隣接する上下の画素の画素値とを比較して、注目画素の画素値が上下の画素の画素値よりも高く、注目画素の画素値と上下の画素の画素値の差または比が所定値以上の場合に、注目画素が尾引きを構成する尾引き画素であると判定する尾引き判定処理を実行することが好ましい。
【００２１】
尾引き除去部は、尾引き判定処理において、副走査方向に延び、注目画素が存在する列に加えて、主走査方向において注目画素と隣接する左右の列を含む複数列についても、副走査方向に隣接する画素間で画素値を比較して、比較結果を尾引き判定に利用することが好ましい。
【００２２】
画像担体は、蛍光を発するサンプルを含み、走査部は、画像担体に対して照射する励起光を発生する励起光源と、励起光で励起された蛍光を、光学ヘッドが受光した光を光電変換する光学センサとを有している。
【００２３】
本発明の画像処理方法は、画像情報を担持した画像担体に対して、光学ヘッドを相対的に移動させることにより、画像読み取りのための走査を行う走査部であって、主走査方向において往路走査と復路走査を１ライン毎に交互に繰り返す往復走査を行って、主走査方向の一次元のライン画像を１ラインずつ読み取り、かつ、往復走査と並行して、主走査方向と直交する副走査方向に走査を行って二次元画像を読み取る走査部を用い、走査部から二次元画像を取得し、二次元画像に対して画像処理を行う画像処理方法において、異常画素除去ステップと、尾引き除去ステップとを含む。異常画素除去ステップは、二次元画像内に存在する点状の異常画素について、異常画素を基準に数画素から数十画素の範囲内にある画素に基づいて異常画素を除去する異常画素除去ステップであって、異常画素を除去するための補正対象となる注目画素が存在するラインが、副走査方向において奇数番目に存在する奇数ラインである場合は、画素を、注目画素が存在する奇数ラインを含む少なくとも１つの奇数ラインのみから選択し、一方、注目画素が存在するラインが、副走査方向において偶数番目に存在する偶数ラインである場合は、画素を、注目画素が存在する偶数ラインを含む少なくとも１つの偶数ラインのみから選択し、選択した画素に基づいて、異常画素を除去する。尾引き除去ステップは、二次元画像において往復走査に起因して１ラインおきに発生する、主走査方向に延びるストライプ状の尾引きについて、二次元画像から除去する。
【００２４】
本発明の画像処理装置の作動プログラムは、画像情報を担持した画像担体に対して、光学ヘッドを相対的に移動させることにより、画像読み取りのための走査を行う走査部であって、主走査方向において往路走査と復路走査を１ライン毎に交互に繰り返す往復走査を行って、主走査方向の一次元のライン画像を１ラインずつ読み取り、かつ、往復走査と並行して、主走査方向と直交する副走査方向に走査を行って二次元画像を読み取る走査部を用い、走査部から二次元画像を取得し、二次元画像に対して画像処理を行う画像処理装置の作動プログラムにおいて、異常画素除去ステップと尾引き除去ステップとを含む。異常画素除去ステップは、二次元画像内に存在する点状の異常画素について、異常画素を基準に数画素から数十画素の範囲内にある画素に基づいて異常画素を除去する異常画素除去ステップであって、異常画素を除去するための補正対象となる注目画素が存在するラインが、副走査方向において奇数番目に存在する奇数ラインである場合は、画素を、注目画素が存在する奇数ラインを含む少なくとも１つの奇数ラインのみから選択し、一方、注目画素が存在するラインが、副走査方向において偶数番目に存在する偶数ラインである場合は、画素を、注目画素が存在する偶数ラインを含む少なくとも１つの偶数ラインのみから選択し、選択した画素に基づいて、異常画素を除去する。尾引き除去ステップは、二次元画像において往復走査に起因して１ラインおきに発生する、主走査方向に延びるストライプ状の尾引きについて、二次元画像から除去する。
【発明の効果】
【００２５】
本発明によれば、尾引き領域内に異常画素が存在する場合でも、異常画素を適正に除去することができる。
【図面の簡単な説明】
【００２６】
【図１】画像検出システムを示す図である。
【図２】画像読取装置の概略図である。
【図３】光学ヘッドの概略図である。
【図４】往復走査のための移動機構の説明図である。
【図５】光学ヘッドの移動軌跡の説明図である。
【図６】画像読取装置のブロック図である。
【図７】画像処理部のブロック図である。
【図８】尾引き画像の説明図である。
【図９】尾引き除去処理の手順を示すフローチャートである。
【図１０】尾引き除去処理の概要を示す画像遷移図である。
【図１１】注目画素が尾引き画素以外の場合の尾引き除去処理の画像遷移図である。
【図１２】尾引きと異常画素が混在する尾引き画像の説明図である。
【図１３】異常画素を含む尾引き画像に尾引き除去処理を実行した場合の画像遷移図である。
【図１４】アーチファクトが残る尾引き画像の説明図である。
【図１５】異常画素除去処理の手順を示すフローチャートである。
【図１６】異常画素除去処理の概要を示す画像遷移図である。
【図１７】尾引き画素および異常画素以外の画素が注目画素として選択された場合の異常画素除去処理の説明図である。
【図１８】尾引き画素が注目画素として選択された場合の異常画素除去処理の説明図である。
【図１９】第１実施形態の画像処理全体の手順を示すフローチャートである。
【図２０】近傍画素選択処理の手順の１例を示すフローチャートである。
【図２１】尾引き除去処理の手順を示すフローチャートである。
【図２２】第２実施形態の画像処理全体の手順を示すフローチャートである。
【図２３】第２実施形態の処理の概要を示す画像遷移図である。
【図２４】作動プログラムの説明図である。
【発明を実施するための形態】
【００２７】
[第１実施形態]
図１において、画像検出システム１０は、画像読取装置１１と、画像読取装置１１の制御装置に相当するコンソール１２とを備えている。画像読取装置１１とコンソール１２は、例えばＵＳＢ（Universal Serial Bus）規格の通信ケーブルでされており、相互にデータを遣り取りすることが可能である。
【００２８】
画像読取装置１１は、画像情報を担持した画像担体１３からの光ＤＬ（図２等参照）を検出し、検出した光ＤＬに基づく画像担体１３の画像を出力する。画像担体１３は、サンプルとして、ＤＮＡ（deoxyribonucleic acid）、ＲＮＡ(ribonucleic acid)、あるいは蛋白質といった生体由来物質を含み、生体由来物質の電気泳動パターンを記録したゲル支持体や転写支持体で構成される。
【００２９】
生体由来物質は例えば蛍光色素を加えて標識されている。蛍光色素を使用する場合は、画像担体１３から検出される光ＤＬは蛍光色素から発せられる蛍光である。蛍光色素には複数種類あり、それぞれ励起波長および発光波長が異なる。例えば、青色励起光で励起されて、青色励起光よりも波長が長い青色蛍光を発する蛍光色素や、緑色励起光で励起されて、緑色励起光よりも波長が長い緑色蛍光を発する蛍光色素や、赤色励起光で励起されて、赤色励起光よりも波長が長い赤色蛍光を発する蛍光色素などがある。なお、サンプルとしては、蛍光色素を用いるもの以外でも、例えば、遺伝子発現により発蛍光性を獲得するに至った蛍光タンパク質でもよい。
【００３０】
画像読取装置１１は筐体１４で全体が覆われている。この筐体１４によって、光ＤＬの検出にはノイズとなる外光から画像読取装置１１の内部が遮光される。筐体１４の前面には、画像読取装置１１内に画像担体１３をセットするための開閉自在な蓋１５が設けられている。なお、符号１６は、フィルタユニット３０（図２参照）を交換するための開閉自在な蓋である。
【００３１】
コンソール１２は例えばデスクトップ型のパーソナルコンピュータであり、ディスプレイ１７とキーボードおよびマウスで構成される操作部１８とを有する。ディスプレイ１７は画像の他、操作部１８の操作に用いる画面を表示する。操作用の画面は、ＧＵＩ(Graphical User Interface)を構成する。コンソール１２は、ディスプレイ１７の操作用の画面を通じて操作部１８からの操作指示の入力を受け付ける。
【００３２】
図２において、画像読取装置１１内には、ステージ２５、励起光源２６Ａ、２６Ｂ、２６Ｃ、光源光学系２７、導光光学系２８、光学ヘッド２９、フィルタユニット３０、およびフォトマルチプライア３１が設けられている。
【００３３】
ステージ２５は画像担体１３を保持する。ステージ２５は矩形枠の形状を有し、その枠内に透明なガラス板３２が嵌め込まれている。画像担体１３はこのガラス板３２上に載置される。
【００３４】
励起光源２６Ａ〜２６Ｃは、蛍光色素の励起光ＥＬを発する。励起光源２６Ａ〜２６Ｃには、複数種類の蛍光色素に対応するため、励起光ＥＬの発光波長帯域が異なるものが用意されている。
【００３５】
具体的には、励起光源２６Ａは中心波長６３５ｎｍの赤色励起光、励起光源２６Ｂは中心波長５３２ｎｍの緑色励起光、励起光源２６Ｃは中心波長４８８ｎｍの青色励起光をそれぞれ発する。励起光源２６Ａ、２６Ｃは例えば半導体レーザで構成され、励起光源２６Ｂは例えば第二高調波生成（Second Harmonic Generation)素子で構成される。なお、励起光ＥＬの発光波長帯域はこれに限るものではない。また、励起光源の数も、３つに限ることなく、１つでもよいし、４つ以上でもよい。
【００３６】
光源光学系２７は、コリメータレンズ３３、３４、３５、ミラー３６、３９、およびダイクロイックミラー３７、３８で構成される。コリメータレンズ３３〜３５は、励起光源２６Ａ〜２６Ｃの前面にそれぞれ配置され、励起光源２６Ａ〜２６Ｃから発せられた各色励起光を平行光とする。ミラー３６は、コリメータレンズ３３で平行光とされた赤色励起光をダイクロイックミラー３７に向けて反射する。
【００３７】
ダイクロイックミラー３７は、ミラー３６からの赤色励起光を透過させ、かつコリメータレンズ３４で平行光とされた緑色励起光をダイクロイックミラー３８に向けて反射する。ダイクロイックミラー３８は、ミラー３６からの赤色励起光およびダイクロイックミラー３７からの緑色励起光を透過させ、かつコリメータレンズ３５で平行光とされた青色励起光をミラー３９に向けて反射する。
【００３８】
ミラー３９は、ミラー３６で反射されてダイクロイックミラー３７、３８を透過した赤色励起光、ダイクロイックミラー３７で反射されてダイクロイックミラー３８を透過した緑色励起光、並びにダイクロイックミラー３８で反射された青色励起光を導光光学系２８に向けて反射する。
【００３９】
導光光学系２８は、ミラー４０、穴開き凹面ミラー４１、および凹面ミラー４２で構成される。ミラー４０は、光源光学系２７のミラー３９からの励起光ＥＬを穴開き凹面ミラー４１に向けて反射する。穴開き凹面ミラー４１は、中央部に貫通孔４３を有する。ミラー４０からの励起光ＥＬは、この貫通孔４３を通過し、凹面ミラー４２に向かう。凹面ミラー４２は、貫通孔４３を通過した励起光ＥＬを光学ヘッド２９に向けて反射する。
【００４０】
また、凹面ミラー４２には、光学ヘッド２９からの光ＤＬが入射する。凹面ミラー４２は、光ＤＬを穴開き凹面ミラー４１に向けて反射する。穴開き凹面ミラー４１は、凹面ミラー４２からの光ＤＬをフィルタユニット３０に向けて反射する。このように、穴開き凹面ミラー４１は、貫通孔４３により励起光ＥＬを通過させ、かつ光ＤＬをフィルタユニット３０に向けて反射させることにより、励起光ＥＬと光ＤＬの光路を分岐させる。
【００４１】
光学ヘッド２９は、画像担体１３のＸＹ方向の二次元平面である読み取り面に対して相対的に移動して、二次元画像を読み取るための走査を行う。具体的には、光学ヘッド２９は、画像担体１３と相対的に移動しながら、励起光ＥＬを画像担体１３に照射し、かつ画像担体１３からの光ＤＬを取り込む。光学ヘッド２９は、主走査方向Ｘと副走査方向Ｙに移動して、読み取り面の全面を走査する。
【００４２】
図３に示すように、光学ヘッド２９には、凹面ミラー５０と非球面レンズ５１とが搭載されている。凹面ミラー５０は、導光光学系２８の凹面ミラー４２から入射した励起光ＥＬを非球面レンズ５１に向けて反射する。非球面レンズ５１は、凹面ミラー５０からの励起光ＥＬをガラス板３２上に載置された画像担体１３の裏面に集光する。また、非球面レンズ５１は、励起光ＥＬの照射によって画像担体１３から発せられた光ＤＬを集光し、凹面ミラー５０に入射させる。凹面ミラー５０は、非球面レンズ５１からの光ＤＬをさらに集光し、かつ略平行光として導光光学系２８の凹面ミラー４２に入射させる。
【００４３】
なお、図示は省略するが、光学ヘッド２９に、画像担体１３の裏面に照射する励起光ＥＬの径を調整するビームエキスパンダあるいはビームレデューサ等の調整機構が搭載されていてもよい。
【００４４】
図２において、フィルタユニット３０は、穴開き凹面ミラー４１とフォトマルチプライア３１との間の光ＤＬの光路上に位置する。フィルタユニット３０は、副走査方向Ｙに沿って並んだ４つのフィルタ４５Ａ、４５Ｂ、４５Ｃ、４５Ｄで構成される。
【００４５】
フィルタユニット３０は、図示しないモータやレール等によって主走査方向Ｘに移動可能である。これにより、フィルタ４５Ａ〜４５Ｄのいずれか１つが、選択的に穴開き凹面ミラー４１とフォトマルチプライア３１との間に配置される。例えば、画像担体１３がゲル支持体もしくは転写支持体である場合にはフィルタ４５Ａ〜４５Ｃのいずれか１つが、画像担体１３が蓄積性蛍光体シートである場合にはフィルタ４５Ｄが、それぞれ穴開き凹面ミラー４１とフォトマルチプライア３１との間に配置される。
【００４６】
画像担体１３からの光ＤＬには、多少ではあるが励起光ＥＬが含まれている。この励起光ＥＬは画像の生成には不要なノイズである。そこで、フィルタ４５Ａ〜４５Ｄは、励起光ＥＬをカットし、かつ光ＤＬを透過する特性を有する。
【００４７】
フィルタ４５Ａ〜４５Ｃにも、励起光源２６Ａ〜２６Ｃと同様に、複数種類の蛍光色素に対応するため、透過波長帯域が異なるものが用意されている。具体的には、フィルタ４５Ａは、６３５ｎｍ以下の波長の光（赤色励起光）をカットし、かつ６３５ｎｍよりも長い波長の光（赤色蛍光）を透過する。フィルタ４５Ｂは、５３２ｎｍ以下の波長の光（緑色励起光）をカットし、かつ５３２ｎｍよりも長い波長の光（緑色蛍光）を透過する。フィルタ４５Ｃは、４８８ｎｍ以下の波長の光（青色励起光）をカットし、かつ４８８ｎｍよりも長い波長の光（青色蛍光）を透過する。
【００４８】
なお、励起光ＥＬの発光波長帯域と同様に、フィルタの透過波長帯域もこれに限るものではない。また、フィルタの数も、４つに限ることなく、１つでもよいし、５つ以上でもよい。
【００４９】
フォトマルチプライア３１には、フィルタ４５Ａ〜４５Ｄを透過した光ＤＬが入射する。フォトマルチプライア３１は、受光した光ＤＬを所定のタイミングで光電的に検出して、これに応じたアナログの画像信号を出力する。周知のように、フォトマルチプライア３１は、光を電気信号に光電変換する光学センサの１つである。
【００５０】
フォトマルチプライア３１は、光を電子に変換する陰極（光電面）、集束電極、電子増倍電極、電子を集める陽極を真空の容器に収容した構造を有する。光電面に光が入射すると光電子が放出され、放出された光電子が加速されて電子増倍電極に衝突して２次電子を生じる。これが次々とカスケード的に起こり、信号電流（アナログの画像信号）となって取り出される。フォトマルチプライア３１の感度は印加電圧に応じて変化する。このように、光学ヘッド２９が検出した光ＤＬはフォトマルチプライア３１に入力され、フォトマルチプライア３１が入力した光ＤＬに応じたアナログの画像信号を出力することにより画像が読み取られる。
【００５１】
図４および図５に示すように、光学ヘッド２９は、画像読み取りのための走査方式として、主走査方向Ｘにおいて往復走査を行う往復走査方式を採用する。往復走査方式とは、主走査方向Ｘにおいて往路走査と復路走査を１ライン毎に交互に繰り返す走査方式である。
【００５２】
上述のとおり、本発明の対象となる往復走査方式は、光学ヘッドの往路走査と復路走査のそれぞれで画像を読み取り、往路走査および復路走査で読み取られた画像をそれぞれ１ライン分の画像として扱う狭義の往復走査方式である。この往復走査方式は、往路走査と復路走査でそれぞれ１ライン分の画像を読み取るため、１画面分の画像の読み取り速度が向上するというメリットがある。
【００５３】
図２および図４に示すように、光学ヘッド２９は、ステージ２５の下部に設けられた細長板状の基板４４上に配置されている。基板４４は、主走査方向Ｘに延びており、光学ヘッド２９は、基板４４上を主走査方向Ｘに沿って往復移動する。
【００５４】
図４に示すように、画像読取装置１１は、第１移動機構４７および第２移動機構４８を備えている。第１移動機構４７は、光学ヘッド２９を主走査方向Ｘに往復移動させる移動機構である。第１移動機構４７は、例えば、光学ヘッド２９を基板４４に対して主走査方向Ｘに移動自在に取り付けるレール、光学ヘッド２９を移動させるための駆動力を発生するモータやアクチュエータ、および駆動力を伝達するベルトやギヤなどの駆動力伝達機構で構成される。
【００５５】
第２移動機構４８は、基板４４と凹面ミラー４２を副走査方向Ｙに移動させる移動機構である。基板４４を副走査方向Ｙに移動させることで、基板４４に取り付けられた光学ヘッド２９が副走査方向Ｙに移動する。第２移動機構４８は、例えば、基板４４と凹面ミラー４２を移動させるための駆動力を発生するモータやアクチュエータ、および駆動力を伝達するベルトやギヤなどの駆動力伝達機構で構成される。こうした第１移動機構４７および第２移動機構４８が光学ヘッド２９を駆動して、光学ヘッド２９が主走査方向Ｘと副走査方向Ｙに移動する。
【００５６】
図５において、往復走査における光学ヘッド２９の移動軌跡を示す。光学ヘッド２９は、主走査方向Ｘの走査において、例えば、Ｌ１で示す１ライン目を走査する際に右方向に移動する。ラインＬ１を走査した後、副走査方向Ｙに１ライン分移動して、Ｌ２で示す次の２ライン目を走査する際に左方向に移動する。
【００５７】
ラインＬ２を走査後、副走査方向Ｙに１ライン分移動して、Ｌ３で示す３ライン目を走査する。ラインＬ３を走査する際の移動方向は、右方向になる。ラインＬ３を走査後、副走査方向Ｙに１ライン分移動して、Ｌ４で示す４ライン目を走査する。ラインＬ４の走査時の移動方向は、左方向になる。
【００５８】
このように、光学ヘッド２９は、ラインＬ１やラインＬ３などの奇数番目に存在する奇数ラインとラインＬ２やラインＬ４などの偶数番目に存在する偶数ラインで、読み取り時の移動方向が逆転する。奇数ラインおよび偶数ラインの一方の走査を往路走査とすると、他方の走査は復路走査となる。光学ヘッド２９は、このような主走査方向Ｘと副走査方向Ｙの走査を繰り返して、主走査方向Ｘに延びる一次元のライン画像を１ラインずつ読み取る走査を行う。光学ヘッド２９は、往復走査と並行して、副走査方向Ｙに走査を行って、画像担体１３の全面を走査する。画像担体１３の全面が走査されると二次元画像が読み取られる。
【００５９】
図６において、フォトマルチプライア３１には、Ａ／Ｄ（Analog/Digital）変換器（Ａ／Ｄ）５５が接続されている。Ａ／Ｄ５５は、フォトマルチプライア３１から所定のタイミングで次々出力されるアナログの画像信号を順次デジタルの画像信号に変換する。Ａ／Ｄ５５は、デジタルの画像信号を画像メモリ５６に出力する。
【００６０】
フォトマルチプライア３１には、光学ヘッド２９の往路走査または復路走査に応じて、１ライン分の光ＤＬが順次入力される。フォトマルチプライア３１は、順次入力される１ライン分の光ＤＬに応じたライン画像のアナログの画像信号を出力する。１ライン分のアナログの画像信号は、デジタルな画像信号に変換される。画像メモリ５６には、ライン画像のデジタルな画像信号が順次記録される。光学ヘッド２９が画像担体１３の全面に対する走査を行うと、画像メモリ５６には、１フレーム分のデジタルな画像信号（二次元画像）が記録される。
【００６１】
画像メモリ５６には、画像処理部５７と通信部５８が接続されている。画像処理部５７は、画像メモリ５６に記録された画像に対して、各種画像処理を施す。通信部５８は例えばＵＳＢ通信インターフェースであり、コンソール１２との間の各種データの通信を担う。通信部５８は、画像メモリ５６から画像処理済みの画像を受け取り、これをコンソール１２に送信する。
【００６２】
励起光源２６Ａ〜２６Ｃ、光学ヘッド２９、フォトマルチプライア３１、凹面ミラー４２、基板４４、第１移動機構４７、第２移動機構４８およびフィルタユニット３０は、画像担体１３から二次元画像を読み取るための走査を行う走査部５９を構成する。この走査部５９、画像処理部５７、および通信部５８等の各部は、コントローラ６０により統括的に制御される。走査部５９は、コントローラ６０の制御の下で走査を実行する。
【００６３】
コンソール１２は、パーソナルコンピュータやワークステーションをベースに、オペレーティングシステムや画像表示機能を実現するアプリケーションソフトウェアをインストールしたものである。画像読取装置１１が読み取った画像はコンソール１２において表示される。
【００６４】
図７に示すように、画像処理部５７は、走査部５９から読み取り画像６５を取得して、読み取り画像６５に対して画像処理を施す。画像処理部５７は、画像補正部として、異常画素除去部６１と尾引き除去部６２とを備えている。画像処理部５７は、例えば、ＤＳＰ（Digital Signal Processor）やＦＰＧＡ（Field-Programmable Gate Array）などのハードウェアで実現してもよいし、ＣＰＵ（Central Processing Unit）が画像処理ソフトウェアを実行して実現してもよい。画像処理ソフトウェアは、ＣＰＵに画像処理装置としての機能を実現させる作動プログラムである。異常画素除去部６１は、読み取った画像内において、特異的に濃度の高い黒い画素として生じる点状の異常画素を除去する。異常画素は、例えば埃に起因して発生する。尾引き除去部６２は、読み取った画像内に生じる尾引きを除去する。
【００６５】
以下、尾引き除去部６２および異常画素除去部６１が実行する、尾引き除去処理および異常画素除去処理について説明する。
【００６６】
（尾引き除去処理）
尾引きが生じた画像を示す図８において、読み取った１フレーム分の二次元画像（以下読み取り画像という）６５の一部を拡大した画像が部分画像６６である。そして、部分画像６６内において尾引きが生じた領域の画像を尾引き画像６７として示す。例えば、部分画像６６内において、濃度が高い高濃度領域６６Ａが存在する場合、高濃度領域６６Ａの輪郭、すなわち、濃度が低い低濃度領域６６Ｂとの境界６６Ｃにおいては濃度変化が急峻になる。
【００６７】
尾引き７１は、このような濃度変化が急峻な境界６６Ｃにおいて生じる。主走査方向Ｘの走査速度に対して、フォトマルチプライア３１の応答速度が遅れると、フォトマルチプライア３１は急峻な濃度変化に追従できない場合がある。光学ヘッド２９が高濃度領域６６Ａから低濃度領域６６Ｂに移動する場合には、光学ヘッド２９は、高濃度領域６６Ａから境界６６Ｃを跨いで低濃度領域６６Ｂに移行する。この際に、高濃度領域６６Ａの出力を低濃度領域６６Ｂにおいても引きずる。これにより、低濃度領域６６Ｂに高濃度領域６６Ａの尾引きが発生する。なお、尾引き７１は、フォトマルチプライア３１の応答遅れの原因は、印加電圧が低いほど生じやすいことが分かっている。
【００６８】
往復走査方式の場合には、主走査方向Ｘの走査方向が１ライン毎に変わるため、１ライン毎に尾引き７１が生じる向きが変わる。そのため、往復走査方式においては、高濃度領域６６Ａの境界６６Ｃにおいて、尾引き７１が１ラインおきに発生し、尾引き７１全体としては、主走査方向Ｘに延びるストライプ状になる。尾引き画像６７は、ストライプ状の尾引き領域を拡大した画像である。
【００６９】
尾引き画像６７は、部分画像６６に生じる尾引き領域の一部を示すものである。この尾引き画像６７においては、尾引き７１は、偶数番目のラインＬ２、ラインＬ４に発生し、奇数番目のラインＬ１、Ｌ３、Ｌ５には発生しない。
【００７０】
図９から図１１において、尾引き除去部６２が実行する尾引き除去処理Ｓ２０を示す。図９は、尾引き除去処理Ｓ２０の処理手順を示すフローチャートである。図１０は、尾引き除去処理Ｓ２０の処理内容の説明図であり、尾引き除去処理Ｓ２０の処理手順に沿った尾引き画像６７の画像遷移を示す。図１０の画像遷移は、図９の各処理ステップＳ２０１〜Ｓ２０３に対応する。
【００７１】
図９において、処理ステップＳ２０１では、尾引き除去部６２は、まず尾引き画像６７内の１つの画素を、補正対象となる注目画素ＰＯとして選択する。本例では、図１０に示すように、ラインＬ２の中央の列Ｃ３の画素が注目画素ＰＯとして選択されている。
【００７２】
次に処理ステップＳ２０２では、尾引き除去部６２は、注目画素ＰＯが尾引き７１を構成する尾引き画素か否かを判定する。尾引き画素か否かの判定は、注目画素ＰＯとその上下の画素（列Ｃ３のラインＬ１とＬ３の画素）の濃度、より具体的には濃度を表す画素値を比較して行う。往復走査では、１ラインおきに尾引きが発生するため、尾引き７１が発生するラインと副走査方向Ｙにおいて隣接する上下のラインには尾引き７１が発生しない。そのため、尾引き７１のラインと隣接する上下のラインとの濃度差は大きい。
【００７３】
尾引き除去部６２は、処理ステップＳ２０２において、尾引き画像６７から注目画素ＰＯとその上下の画素の３画素を抽出する。本例では、図１０に示すように、列Ｃ３のラインＬ１〜Ｌ３の３画素が抽出される。そして、例えば、注目画素ＰＯの画素値が、上下の画素の画素値よりも高く、注目画素の画素値と上下の画素の画素値の差が所定値以上ある場合に、注目画素ＰＯが尾引き画素であると判定する尾引き判定処理を実行する。
【００７４】
尾引き判定処理の結果、注目画素ＰＯが尾引き画素であると判定された場合（Ｓ２０２でＹ）には、尾引き除去部６２は、処理ステップＳ２０３に進み、注目画素ＰＯの画素値を補正する。補正方法は、例えば、注目画素ＰＯの画素値を上下の画素の画素値の平均値で置換する方法である。注目画素ＰＯの上下の画素は、尾引き画素ではないため、注目画素ＰＯは、尾引き画素ではない画素値に置換される。これにより、図１０において、注目画素ＰＯについての尾引き除去処理後の尾引き画像６７Ａに示すように、列Ｃ３のラインＬ２の注目画素ＰＯについて尾引き７１が除去される。
【００７５】
尾引き除去部６２は、処理ステップＳ２０４に進み、未処理の画素があるか否かを判定する。未処理の画素がある場合には、未処理の画素を次の注目画素ＰＯとして、処理ステップＳ２０１〜２０３を繰り返す。例えば、ラインＬ２においては、列Ｃ１、Ｃ２、Ｃ４、Ｃ５は未処理の画素であるため、これらの画素に対して尾引き除去処理Ｓ２０を実行する。これにより、尾引き画像６７においてラインＬ２の尾引き７１が除去される。
【００７６】
なお、本例では、便宜上、ラインＬ２において、中央に位置する列Ｃ３に位置する画素を、列Ｃ３の左側に位置する列Ｃ１、Ｃ２よりも先に、注目画素ＰＯとして選択して、補正を行う例で説明しているが、実際には、例えば、画像の左から右方向に順番に画素を選択して補正をする。
【００７７】
こうした尾引き除去処理Ｓ２０を、ラインＬ４に対しても実行すると、尾引き画像６７のすべての尾引き７１が除去される。尾引き除去部６２は、こうした尾引き除去処理Ｓ２０を、図８に示す読み取り画像６５の全体に施す。これにより、読み取り画像６５内の尾引き７１が除去される。
【００７８】
図１１は、尾引き除去処理Ｓ２０において、選択した注目画素ＰＯが尾引き画素でない場合（処理ステップＳ２０２でＮ）の処理を示す。図１１の画像遷移は、図９の各処理ステップＳ２０１〜Ｓ２０３に対応する。
【００７９】
処理ステップＳ２０１において、図１１に示すように、注目画素ＰＯとして、例えば、ラインＬ３の列Ｃ３の尾引き画素でない画素が選択されている。この場合、処理ステップＳ２０２において、尾引き除去部６２は、注目画素ＰＯが尾引き画素か否かを判定する。この判定において、尾引き除去部６２は、注目画素ＰＯと、注目画素ＰＯの列Ｃ３の上下の画素（ラインＬ２およびＬ４の列Ｃ３の画素）との画素値を比較する。注目画素ＰＯは尾引き画素でないため、注目画素ＰＯの画素値は、上下の画素の画素値よりも低い。尾引き除去部６２は、注目画素ＰＯの画素値が、上下の画素の画素値よりも所定値以上高くないため、注目画素ＰＯは尾引き画素ではないと判定する。この場合、尾引き除去部６２は、処理ステップＳ２０３をスキップして、処理ステップＳ２０４に進む。すなわち、処理ステップＳ２０４の後の処理済みの尾引き画像６７Ａに示すように、注目画素ＰＯの濃度（画素値）の補正は行われない。
【００８０】
図１０に示したように、注目画素ＰＯが尾引き画素である場合には、尾引き７１が除去されて、図１１に示したように、注目画素ＰＯが尾引き画素でない場合には、補正は行われない。そのため、尾引き除去処理は、注目画素ＰＯが尾引き画素か否かに関わらず、読み取り画像６５の全画素に対して実行されるが、尾引き画素に対してのみ適正な補正が行われる。その結果、尾引き７１が除去される。
【００８１】
（尾引き領域内に異常画素が存在する場合の問題点）
しかし、図１２に示すように、尾引き画像６７において、尾引き７１が発生している尾引き領域に異常画素ＰＡが存在すると、図１３に示すように、尾引き除去処理を行っても、適正に尾引き７１を除去できない場合がある。図１３において、図１２に示す尾引き画像６７に尾引き除去処理を適用した場合の画像遷移を示す。
【００８２】
図１３に示すように、尾引き除去部６２は、処理ステップＳ２０１（図９参照）を実行して、尾引き画像６７内の１つの画素（列Ｃ３のラインＬ２の異常画素ＰＡ）を注目画素ＰＯとして選択する。図１３に示すように、尾引き除去部６２が、図１０と同様に、尾引き画像６７において尾引き７１が発生しているラインＬ２の中央の列Ｃ３の画素を注目画素ＰＯとして選択する場合を考える。
【００８３】
尾引き除去部６２は、処理ステップ２０２において、図１０で説明したのと同様に、注目画素ＰＯとその上下の画素（列Ｃ３のラインＬ１、Ｌ３の画素）の濃度（画素値）を比較して、注目画素ＰＯの画素値が高く、注目画素の画素値と上下の画素の画素値の差が所定値以上ある場合には、注目画素ＰＯが尾引き画素であると判定する。ここで、所定値は、０以上の値である。
【００８４】
図１３において、注目画素ＰＯの下の画素（列Ｃ３のラインＬ３の画素）は異常画素ＰＡである。異常画素ＰＡの画素値は、尾引き画素７１Ａである注目画素ＰＯの画素値よりも高いか、あるいは、低い場合でも異常画素ＰＡの画素値と注目画素ＰＯの画素値の差が所定値未満となると考えられる。そのため、尾引き除去部６２は、注目画素ＰＯが尾引き画素７１Ａであるにも拘わらず、尾引き画素７１Ａではないと誤判定してしまう（処理ステップＳ２０２でＮ）。そうすると、処理ステップＳ２０３はスキップされて、注目画素ＰＯは補正されず、尾引き画素７１Ａとして残ってしまう。
【００８５】
列Ｃ３において、ラインＬ３の異常画素ＰＡやその下のラインＬ４の尾引き画素が注目画素ＰＯとして選択された場合も、これらの画素は尾引き画素と判定されないため、適正な補正が行われない。そのため、尾引き画像６７内の全画素について尾引き除去処理が適用された場合でも、図１４に示すように、尾引き除去処理後の尾引き画像６７Ａは、列Ｃ３においては、ラインＬ２、Ｌ４の尾引き画素７１Ａと、ラインＬ３の異常画素ＰＡについて適正に補正がされない。その結果、尾引き画像６７Ａには、これらの３つの画素が縦に連なった形態のアーチファクト７６が残ってしまう。
【００８６】
（異常画素除去処理）
そこで、図１４に示すようなアーチファクト７６が発生しないように、異常画素除去部６１は、図１５に示すように、尾引き領域に発生する異常画素ＰＡを適正に除去する異常画素除去処理Ｓ１０を行う。
【００８７】
図１５は、異常画素除去処理Ｓ１０の処理手順を示すフローチャートである。図１６は、異常画素ＰＡが存在する尾引き画像６７に対して実行される異常画素除去処理Ｓ１０の処理内容の説明図であり、異常画素除去処理Ｓ１０の処理手順に沿った尾引き画像６７の画像遷移を示す。図１６の画像遷移は、図１５の各処理ステップＳ１０１〜Ｓ１０３に対応する。
【００８８】
図１５において、処理ステップＳ１０１では、異常画素除去部６１は、まず尾引き画像６７内の１つの画素を、異常画素を除去するための補正対象となる注目画素ＰＯとして選択する。本例では、図１６に示すように、ラインＬ３の中央の列Ｃ３の異常画素ＰＡが注目画素ＰＯとして選択される。ラインＬ３は、上下の２本の尾引き７１のラインＬ２、Ｌ４の間に挟まれたラインである。
【００８９】
次に処理ステップＳ１０２では、異常画素除去部６１は、注目画素ＰＯの周囲に存在する近傍画素に基づいて異常画素ＰＡの除去処理を行う。本例のように、異常画素ＰＡが注目画素ＰＯとして選択された場合は、選択された異常画素ＰＡの周囲に存在する近傍画素に基づいて異常画素ＰＡを除去する。
【００９０】
異常画素除去部６１は、注目画素ＰＯとして選択されている異常画素ＰＡが存在するラインが、副走査方向において奇数番目に存在する奇数ラインである場合は、異常画素ＰＡを除去する補正に用いる近傍画素を、注目画素ＰＯ（図１６では異常画素ＰＡと一致）が存在する奇数ラインを含む複数の奇数ラインのみから選択し、一方、注目画素ＰＯが存在するラインが、副走査方向において偶数番目に存在する偶数ラインである場合は、近傍画素を、注目画素ＰＯが存在する偶数ラインを含む複数の偶数ラインのみから選択し、選択した近傍画素に基づいて異常画素の除去処理を行う。
【００９１】
本例では、注目画素ＰＯは、奇数ラインであるラインＬ３に存在するため、異常画素除去部６１は、補正に用いる近傍画素を、ラインＬ３を含む複数の奇数ライン、具体的には、ラインＬ３と、ラインＬ３の上方の奇数ラインであるラインＬ１と、ラインＬ３の下方の奇数ラインであるラインＬ５の合計３ラインのみから選択する。
【００９２】
そして、処理ステップＳ１０３において、異常画素除去部６１は、選択した近傍画素の濃度（画素値）に応じて注目画素ＰＯの濃度（画素値）を変更する。具体的には、異常画素除去部６１は、注目画素ＰＯの周囲の８個の近傍画素の中から、画素値が最高値を示す画素と最低値を示す２つの近傍画素を除外し、残りの６個の近傍画素の画素値の平均値を算出する。異常画素除去部６１は、注目画素ＰＯの画素値を算出した平均値で置換する。これにより、注目画素ＰＯとして選択されていた異常画素ＰＡの濃度（画素値）が下がり、異常画素ＰＡが除去される。
【００９３】
こうした異常画素除去処理は、読み取り画像６５の全画素に対して行われる。そのため、異常画素ＰＡ以外の画素も、注目画素ＰＯとして選択される。
【００９４】
図１７は、注目画素ＰＯとして選択された画素が、図１５に示した例と同様に、２本の尾引き７１のラインＬ２、Ｌ４の間のラインＬ３に存在する画素であるが、異常画素ＰＡではない場合の例である。
【００９５】
処理ステップＳ１０１において、異常画素除去部６１は、図１７に示すように、列Ｃ２のラインＬ３の画素を注目画素ＰＯとして選択する。
【００９６】
そして、処理ステップＳ１０２において、異常画素除去部６１は、注目画素ＰＯが奇数ラインであるラインＬ３に存在するため、近傍画素は、奇数ラインのみから選択される。具体的には、ラインＬ３の上方の奇数ラインであるラインＬ１と、ラインＬ３の下方の奇数ラインであるラインＬ５の３ラインから、注目画素ＰＯの周囲に存在する８個の近傍画素が選択される。
【００９７】
処理ステップＳ１０３において、異常画素除去部６１は、選択された８個の近傍画素から、画素値が最高値を示す画素と最低値を示す画素とを除き、残りの６個の近傍画素の画素値の平均値を算出する。選択された８個の近傍画素の中には、異常画素ＰＡが含まれるが、異常画素ＰＡは、８個の近傍画素のうち画素値が最高値を示す画素として、平均値の算出対象から除外される。このため、算出される平均値に、異常画素ＰＡの画素値は影響を及ぼさない。
【００９８】
そして、注目画素ＰＯの画素値が算出した平均値で置換される。図１７においては、近傍画素はすべて尾引き７１のライン以外のラインから選択されるため、注目画素ＰＯの画素値は、補正前とほぼ同じ値を示すことになる。
【００９９】
図１８は、注目画素ＰＯとして選択された画素が、尾引き７１のラインに含まれる尾引き画素７１Ａである場合の例である。処理ステップＳ１０１において、異常画素除去部６１は、図１８に示すように、尾引き７１のラインに存在する尾引き画素７１Ａ（列Ｃ２のラインＬ４の画素）を注目画素ＰＯとして選択する。
【０１００】
そして、処理ステップＳ１０２において、異常画素除去部６１は、注目画素ＰＯが偶数ラインであるラインＬ４に存在するため、近傍画素は、偶数ラインのみから選択される。具体的には、ラインＬ４の上方の偶数ラインであるラインＬ２と、ラインＬ４の下方の偶数ラインであるラインＬ６の３ラインから、注目画素ＰＯの周囲に存在する８個の近傍画素が選択される。
【０１０１】
処理ステップＳ１０３において、異常画素除去部６１は、選択された８個の近傍画素から画素値が最高値を示す画素と、最低値を示す画素を除き、残りの６個の近傍画素の画素値の平均値を算出する。そして、注目画素ＰＯの画素値が算出した平均値で置換される。図１８においては、注目画素ＰＯが尾引き画素７１Ａであるため、近傍画素はすべて尾引き７１のラインから選択される。そのため、注目画素ＰＯとして選択された尾引き画素７１Ａの画素値は、補正前とほぼ同じ値を示すことになる。これにより、異常画素除去処理Ｓ１０を実行した後も、尾引き７１はそのまま残る。
【０１０２】
尾引き画像６７が示すとおり、往復走査方式においては、尾引き７１が副走査方向Ｙにおいて１ラインおきに発生する。処理ステップＳ１０２（図１５参照）で示したとおり、異常画素除去部６１は、注目画素ＰＯが存在するラインが奇数ラインか偶数ラインかに応じて、近傍画素を、奇数ラインのみ、あるいは偶数ラインのみから選択している。
【０１０３】
そのため、図１６および図１７に示すように、注目画素ＰＯが２本の尾引き７１の間に存在している場合には、近傍画素は、尾引き７１のライン以外から選択されることになる。そのため、注目画素ＰＯは、尾引き７１の影響を受けることなく、適正な補正が行われる。具体的には、図１６に示すように、注目画素ＰＯが異常画素ＰＡである場合には、異常画素ＰＡが除去され、図１７に示すように、注目画素ＰＯが異常画素ＰＡでなければ、補正前の画素値が維持される。
【０１０４】
また、図１８に示すように、注目画素ＰＯが尾引き画素７１Ａである場合には、近傍画素は、尾引き７１のラインのみから選択されることになる。そのため、注目画素ＰＯは、尾引き７１の中から選択された近傍画素の画素値に応じて補正されるため、補正前の画素値が維持される。
【０１０５】
（第１実施形態の作用効果）
図１９に示すように、画像処理部５７は、まず、走査部５９が読み取った読み取り画像６５の全画素に対して、異常画素除去部６１が異常画素除去処理Ｓ１０を実行する。異常画素除去処理Ｓ１０は、処理ステップＳ１０２に示したように、注目画素ＰＯが存在するラインが奇数ラインの場合は、補正に用いる近傍画素を奇数ラインのみから選択し、注目画素ＰＯが偶数ラインの場合は、補正に用いる近傍画素を偶数ラインのみから選択する。そのため、往復走査方式に起因して、１ラインおきに発生する尾引き７１が存在する尾引き領域内に異常画素ＰＡが混在する場合でも、図１６に示すように、尾引き７１の影響を受けることなく、異常画素ＰＡを適正に除去することができる。
【０１０６】
異常画素除去処理Ｓ１０が完了した後、尾引き除去部６２が尾引き除去処理Ｓ２０を実行する。異常画素除去処理Ｓ１０により、尾引き除去処理Ｓ２０が実行される前に、異常画素ＰＡが除去されているため、図１３および図１４で示したようなアーチファクトが発生しない。
【０１０７】
（奇数ラインおよび偶数ラインのみを選択する処理の例）
図２０のフローチャートは、上記例の近傍画素を選択するラインとして、３ラインを選択する方法の例を示す。近傍画素選択処理Ｓ１０２０は、図１５に示す処理ステップＳ１０２の一部である。
【０１０８】
図２０に示すように、近傍画素選択処理Ｓ１０２０において、異常画素除去部６１は、まず、処理ステップＳ１０２１を実行する。処理ステップＳ１０２１において、異常画素除去部６１は、注目画素ＰＯが存在するラインが読み取り画像６５におけるライン番号ｎの値がいくつかを調べる。ここで、ｎは１以上の整数である。３ライン目であれば、ライン番号ｎは「３」であり、６ライン目であれば、ライン番号ｎは「６」である。ここで、読み取り画像６５においてライン番号は、読み取り画像６５の上方から順に付与されている。
【０１０９】
ライン番号ｎを調べた後、異常画素除去部６１は、注目画素ＰＯが存在するラインが、読み取り画像６５内の上端部または下端部に位置する端部ラインか否かを判定する。本例において、端部ラインは、上端部に位置する、先頭から１番目と２番目のラインＬ１、Ｌ２の２ラインと、下端部に位置する、最後から１番目と２番目の２ラインである。最後のラインのライン番号を「Ｅ」とすると、最後から１番目と２番目のラインは、ラインＬ（Ｅ）と、ラインＬ（Ｅ−１）の２ラインとなる。
【０１１０】
処理ステップＳ１０２１における端部ラインか否かの判定は、本例のように、注目画素ＰＯが存在するラインを含む３ラインを選択する場合は、例えば、下記の式（１）に従って行う。ライン番号ｎが、下記の式（１）の条件を満たす場合には、端部ラインではないと判定し、式（１）の条件を満たさない場合には、端部ラインと判定する。
３≦ライン番号ｎ≦Ｅ−２・・・・式（１）
【０１１１】
異常画素除去部６１は、注目画素ＰＯが存在するラインが、端部ラインでない場合には、処理ステップＳ１０２２に進み、端部ラインの場合は、処理ステップＳ１０２３に進む。
【０１１２】
処理ステップＳ１０２２において、異常画素除去部６１は、ｎライン、ｎ−２ラインおよびｎ＋２ラインの合計３ラインを選択する。例えば、ｎ＝３の場合、異常画素除去部６１は、３番目の３ライン目（ラインＬ３）と、（３−２）番目の１ライン目（ラインＬ１）と、（３＋２）番目の５ライン目（ラインＬ５）の合計３ラインを選択する。また、ｎ＝４の場合、異常画素除去部６１は、４番目の４ライン目（ラインＬ４）と、（４−２）番目の２ライン目（ラインＬ２）と、（４＋２）番目の６ライン目（ラインＬ６）の合計３ラインを選択する。これにより、注目画素ＰＯが存在するラインが、奇数ラインの場合は、近傍画素を選択するラインも奇数ラインのみから選択され、偶数ラインの場合は、偶数ラインのみから選択される。
【０１１３】
処理ステップＳ１０２３の端部処理において、異常画素除去部６１は、読み取り画像６５において、実際には存在しないラインを仮想して、仮想ラインを近傍画素の選択ラインとする。例えば、注目画素ＰＯが上端部のラインＬ１やラインＬ２に存在する場合は、ラインＬ０と、ラインＬ（−１）を仮想する。例えば、ラインＬ０としては、最上端のラインＬ１を基準として、副走査方向ＹにおいてラインＬ０と対称位置に位置する偶数ラインであるラインＬ２の値をコピーして作成する。ラインＬ（−１）としては、最上端のラインＬ１を基準として、副走査方向ＹにおいてラインＬ（−１）と対称位置に位置する奇数ラインであるラインＬ３の値をコピーして作成する。
【０１１４】
仮に、ラインＬ（−２）を仮想する場合は、ラインＬ（−２）としては、ラインＬ１を基準として、副走査方向ＹにおいてラインＬ（−２）と対称位置に位置する偶数ラインであるラインＬ４の値をコピーして作成する。
【０１１５】
このようにラインを仮想した上で、異常画素除去部６１は、ｎライン、ｎ−２ラインおよびｎ＋２ラインの合計３ラインを選択する。注目画素ＰＯがラインＬ１に存在する場合（ｎ＝１の場合）には、異常画素除去部６１は、１番目の１ライン目（ラインＬ１）と、（１−２）番目の−１ライン目のラインＬ（−１）と、１＋２番目の３ライン目のラインＬ３の合計３ラインを、近傍画素を選択するラインとして選択する。また、注目画素ＰＯがラインＬ２に存在する場合（ｎ＝２の場合）には、異常画素除去部６１は、２番目の２ライン目（ラインＬ２）と、（２−２）番目の０ライン目のラインＬ０と、（２＋２）番目の４ライン目のラインＬ４の合計３ラインを、近傍画素を選択するラインとして選択する。
【０１１６】
下端部のラインＥ、Ｅ−１が選択された場合も、同様に仮想ラインを設定して、近傍画素を選択するラインとして使用する。異常画素除去部６１は、処理ステップＳ１０２２またはＳ１０２３においてラインを選択した後、処理ステップＳ１０２４において、選択したラインから近傍画素を選択する。
【０１１７】
以上のように、注目画素ＰＯが存在するラインが、読み取り画像６５の副走査方向における上端部または下端部に位置する端部ラインである場合には、異常画素除去部６１は、読み取り画像６５の上端または下端に仮想ラインを追加設定し、近傍画素を選択するラインに仮想ラインを使用する端部処理を実行する。端部処理を実行することにより、読み取り画像６５の端部においても、異常画素除去処理の基本的なロジックを変更することなく処理を施すことができる。
【０１１８】
ここで、上端部および下端部とは、読み取り画像６５の上端および下端のそれぞれから数ラインから数十ラインの範囲をいう。また、近傍画素は、注目画素ＰＯを基準に、その周囲において、数画素から数十画素の範囲内にある画素をいう。
【０１１９】
また、図２０に示す例は、１例であり、近傍画素を選択するラインとして、奇数ラインのみあるいは偶数ラインのみから選択する具体的な処理は、種々考えられるので、いずれの処理を使用してもよい。
【０１２０】
また、上記例において、近傍画素を選択するラインとして合計３ラインを選択している例で説明しているが、５ライン以上選択して、その中から近傍画素を選択してもよい。５ライン以上選択する場合には、注目画素ＰＯを中心とする、５×５＝２５個の中から注目画素ＰＯを除く、周囲の２４個の画素を近傍画素として選択する。
【０１２１】
また、近傍画素を選択するラインは、複数ラインでなくてもよく、注目画素ＰＯが存在する１ラインのみでもよい。この場合は、注目画素ＰＯが存在するラインが奇数ラインの場合は、その１つの奇数ラインが近傍画素を選択するラインとなり、注目画素ＰＯが存在するラインが偶数ラインの場合は、その１つの偶数ラインが近傍画素を選択するラインとなる。注目画素ＰＯが存在する１つのラインを、近傍画素を選択するラインとする場合は、例えば、各ラインにおいて、注目画素ＰＯの左右に位置する１つ以上の画素が近傍画素として選択される。
【０１２２】
また、例えば、近傍画素を選択するラインを合計３ライン選択する場合でも、ｎライン、ｎ−２ライン、ｎ＋２ラインの合計３ラインを選択する代わりに、ｎライン、ｎ−４ライン、ｎ＋４ラインの合計３ラインを選択してもよい。要するに、近傍画素を選択するラインは、注目画素ＰＯが奇数ラインか偶数ラインかに応じて、奇数ラインあるいは偶数ラインの一方のみから選択されればよい。
【０１２３】
（尾引き判定処理を複数列で行う方法）
上記例において、尾引き除去部６２は、図９の処理ステップＳ２０２の尾引き判定処理を、図１０に示すように、注目画素ＰＯが存在する１列において、注目画素ＰＯの画素値と、副走査方向において隣接する注目画素ＰＯの上下の画素の画素値とを比較して行っている。この尾引き判定処理を、図２１に示すように、副走査方向に延び、注目画素ＰＯが存在する列に加えて、その左右の列を含む複数列を利用して行ってもよい。
【０１２４】
図２１において、尾引き除去部６２は、尾引き判定処理において、注目画素ＰＯが存在する列Ｃ３に加えて、主走査方向Ｘにおいて注目画素ＰＯと隣接する左右の列Ｃ２、Ｃ４を含む複数列についても、副走査方向Ｙに隣接する上下の画素間で画素値を比較して、比較結果を尾引き判定処理に利用する。尾引き７１は、主走査方向Ｘに延びる。そのため、注目画素ＰＯが存在する列Ｃ３に加えて、主走査方向Ｘにおいて注目画素ＰＯが隣接する左右の列の比較結果を利用することで、注目画素ＰＯが尾引き画素か否かの判定精度が向上する。
【０１２５】
具体的には、尾引き除去部６２は、列Ｃ２、Ｃ４において、注目画素ＰＯが存在するラインＬ２の画素の画素値と、その上下のラインＬ１、Ｌ３の各画素の画素値とを比較して、ラインＬ２の画素の画素値が、ラインＬ１、Ｌ３の各画素の画素値よりも高く、ラインＬ２の画素の画素値とラインＬ１、Ｌ３の各画素の画素値との差が所定値以上あるか否かを判定する。列Ｃ２、Ｃ４について、列Ｃ３と同様にラインＬ２の画素の画素値が、上下の画素よりも高い場合には、尾引き除去部６２は、注目画素ＰＯが尾引き画素であると判定する。
【０１２６】
［第２実施形態］
図２２および図２３は、第２実施形態を示す。第１実施形態では、図１９に示したように、異常画素除去処理Ｓ１０を行った後、尾引き除去処理Ｓ２０を行っているが、図２２に示す第２実施形態のように、尾引き除去処理Ｓ２０を行った後、異常画素除去処理Ｓ１０を行ってもよい。
【０１２７】
第２実施形態においては、図２３に示すように、異常画素ＰＡと尾引き７１が混在する尾引き画像６７に対して、尾引き除去処理Ｓ２０が実行される。図９に示した例では、注目画素ＰＯの画素値が、上下の画素の画素値よりも高く、注目画素ＰＯの画素値と上下の画素の画素値との差が所定値以上ある場合に注目画素ＰＯが尾引き画素であると判定される。尾引き画素と判定された場合、その上下の画素値で置換されて、尾引きが除去される。尾引き除去部６２は、図２３に示す尾引き画像６７の各画素を順次注目画素ＰＯとして選択して、尾引き除去処理Ｓ２０を実行する。
【０１２８】
しかし、異常画素ＰＡが除去されていない尾引き画像６７に対して、尾引き除去処理Ｓ２０を行った場合は、処理後の尾引き画像６７Ａに示すように、異常画素ＰＡが存在する列Ｃ３にアーチファクトが残る。これは、異常画素ＰＡが注目画素ＰＯとして選択された場合は、上下の尾引き画素７１Ａの画素値と同等の画素値であるため、注目画素ＰＯに尾引き除去が行われないためである。また、異常画素ＰＡの画素値と上下の尾引き画素７１Ａが注目画素ＰＯとして選択された場合も、その上下の画素に異常画素ＰＡが位置するため、同様に尾引き除去がされないことになる。
【０１２９】
異常画素除去処理Ｓ１０は、アーチファクト７６が残った尾引き画像６７Ａに対して行われる。この場合には、異常画素除去処理Ｓ１０に加えて、アーチファクト７６を適切に除去する処理が必要になる。アーチファクト７６を除去する処理としては、例えば、異常画素除去処理Ｓ１０を繰り返すことが考えられる。上述のとおり、異常画素除去処理Ｓ１０は、近傍画素を選択するラインを奇数ラインまたは偶数ラインのみから選択するため、アーチファクト７６を構成する画素の１つが注目画素ＰＯとして選択された場合、上下に隣接する画素が近傍画素から除外される。そのため、近傍画素としては、アーチファクト７６以外の画素が多く含まれることになるので、アーチファクト７６を除去しやすい。ただし、このように第２実施形態では、第１実施形態と比較して、追加の処理が必要となる。そのため、第１実施形態のように異常画素除去処理Ｓ１０を行った後に、尾引き除去処理を行うことが好ましい。
【０１３０】
上記実施形態では、尾引き判定処理において、注目画素ＰＯの画素値が、上下の画素の画素値よりも高く、注目画素の画素値と上下の画素の画素値の差が所定値以上の場合に、注目画素が尾引きを構成する尾引き画素と判定する例で説明したが、注目画素ＰＯと上下の画素との画素値の差を用いる代わりに、画素値の比を用いて判定してもよい。例えば、注目画素ＰＯの画素値をＶＯ、上下の画素の画素値をＶＮとした場合に、注目画素の画素値と上下の画素の画素値の比であるＶＯ／ＶＮが所定値以上の場合に、注目画素ＰＯを尾引き画素と判定してもよい。
【０１３１】
上記実施形態では、光学ヘッド２９とフォトマルチプライア３１とを別体で構成した例で説明したが、光学ヘッド２９にフォトマルチプライア３１が組み込まれた形態としてもよい。この場合は、光学ヘッド２９が往復走査をする際に、フォトマルチプライア３１自体も往復移動することになる。
【０１３２】
また、光学センサとして、フォトマルチプライア３１を例に説明したが、フォトマルチプライア３１に限らず、光電変換を行う他の光学センサを使用してもよい。他の光学センサとしては、例えば、フォトダイオードを使用する光学センサなどがある。フォトダイオードを使用する場合も、応答速度の遅れにより尾引き７１が発生する可能性があるため、本発明は有効である。
【０１３３】
また、上記実施形態において、光学ヘッド２９と画像担体１３の副走査方向Ｙへの相対移動について、主走査方向Ｘに対する１ライン分の走査を行う際には、画像担体１３の副走査方向Ｙへの移動を停止し、停止した状態で主走査方向Ｘに対する１ライン分の走査を行う。そして、１ライン分の主走査方向Ｘへの走査終了後に、画像担体１３を副走査方向Ｙへ１ライン分移動して、次のラインの主走査方向Ｘの走査を行うというように、ステップバイステップで副走査方向Ｙへの相対移動を行っている。
【０１３４】
副走査方向Ｙへの相対移動は、ステップバイステップではなく、連続的に移動を行う連続送りでもよい。この場合は、画像担体１３が停止することなく、副走査方向Ｙに移動中に光学ヘッド２９が主走査方向Ｘへ移動することになる。読み取り画像６５は、主走査方向Ｘに沿った各ラインが僅かに斜行した状態になるが、これに対しては画像補正によって対処することができる。
【０１３５】
また、画像担体１３と光学ヘッド２９は相対的に移動すればよく、画像担体１３を副走査方向Ｙに移動しているが、画像担体１３を静止させた状態で光学ヘッド２９を移動してもよい。
【０１３６】
上記実施形態において、本発明の画像処理装置として、異常画素除去処理Ｓ１０を実行する異常画素除去部６１、および尾引き除去処理Ｓ２０を実行する尾引き除去部６２を含む画像処理部５７で構成し、画像処理部５７を画像読取装置１１に内蔵した形態で説明している。画像処理装置は、画像読取装置１１とは別体で構成してもよい。また、画像処理部５７をコンソール１２に内蔵して、コンソール１２を画像処理装置としてもよい。
【０１３７】
また、上述のとおり、本発明の画像処理装置は、ハードウエアで構成してもよいし、作動プログラムによって実現してもよい。例えば、図２４に示すように、作動プログラム８２は画像処理ソフトウェアであり、画像読取装置１１などに設けられたＣＰＵ８１が作動プログラム８２を実行することにより、ＣＰＵ８１が画像処理部５７として機能する。このように、本発明は、画像処理装置のみではなく、画像処理装置が実行する画像処理方法、画像処理装置の作動プログラムにもおよぶ。さらに、作動プログラムに加えて、作動プログラムを記憶する、非一時的な記憶媒体８３にもおよぶ。
【０１３８】
上記実施形態において、生体由来物質を蛍光色素で標識した画像担体１３を用いた例で説明したが、放射線画像、オートラジオグラフィ画像、放射線回折画像、電子顕微鏡画像等を輝尽性蛍光体層に記録した蓄積性蛍光体シートでもよい。この場合、検出する光は輝尽性蛍光体から発せられる輝尽光である。
【０１３９】
本発明は、上述の種々の実施形態や種々の変形例を適宜組み合わせることも可能である。また、上記各実施形態に限らず、本発明の要旨を逸脱しない限り種々の構成を採用し得ることはもちろんである。
【符号の説明】
【０１４０】
１０  画像検出システム
１１  画像読取装置
１２  コンソール
１３  画像担体
１４  筐体
１５、１６  蓋
１７  ディスプレイ
１８  操作部
２５  ステージ
２６Ａ  励起光源（赤色励起光源）
２６Ｂ  励起光源（緑色励起光源）
２６Ｃ  励起光源（青色励起光源）
２７  光源光学系
２８  導光光学系
２９  光学ヘッド
３０  フィルタユニット
３１  フォトマルチプライア
３２  ガラス板
３３〜３５  コリメータレンズ
３６、３９、４０  ミラー
３７、３８  ダイクロイックミラー
４１  穴開き凹面ミラー
４２、５０  凹面ミラー
４３  貫通孔
４４  基板
４５Ａ  フィルタ（赤色フィルタ）
４５Ｂ  フィルタ（緑色フィルタ）
４５Ｃ  フィルタ（青色フィルタ）
４５Ｄ  フィルタ
４７  第１移動機構
４８  第２移動機構
５１  非球面レンズ
５５  Ａ／Ｄ変換器（Ａ／Ｄ）
５６  画像メモリ
５７  画像処理部
５８  通信部
５９  走査部
６０  コントローラ
６１  異常画素除去部
６２  尾引き除去部
６５  読み取り画像（二次元画像）
６６  部分画像
６６Ａ  高濃度領域
６６Ｂ  低濃度領域
６６Ｃ  境界
６７、６７Ａ  尾引き画像
７１  尾引き
７１Ａ  尾引き画素
７６  アーチファクト
８１  ＣＰＵ
８２  作動プログラム
８３  記憶媒体
Ｌ１〜Ｌ６  ライン
Ｃ１〜Ｃ５  列
ＰＯ  注目画素
ＰＡ  異常画素
【図１】
0006572174.tif 000002
【図２】
0006572174.tif 000003
【図３】
0006572174.tif 000004
【図４】
0006572174.tif 000005
【図５】
0006572174.tif 000006
【図６】
0006572174.tif 000007
【図７】
0006572174.tif 000008
【図８】
0006572174.tif 000009
【図９】
0006572174.tif 000010
【図１０】
0006572174.tif 000011
【図１１】
0006572174.tif 000012
【図１２】
0006572174.tif 000013
【図１３】
0006572174.tif 000014
【図１４】
0006572174.tif 000015
【図１５】
0006572174.tif 000016
【図１６】
0006572174.tif 000017
【図１７】
0006572174.tif 000018
【図１８】
0006572174.tif 000019
【図１９】
0006572174.tif 000020
【図２０】
0006572174.tif 000021
【図２１】
0006572174.tif 000022
【図２２】
0006572174.tif 000023
【図２３】
0006572174.tif 000024
【図２４】
0006572174.tif 000025